(57)【要約】【課題】内筒を備えているかいないかにかかわらず、仕切り部材の上方に払い出された溶接用ワイヤの跳ね上がりを良好に防止して該ワイヤのもつれや絡みを防止する。【解決手段】縦型二重筒構造のペイル容器１０の内筒１１と外筒１２との間に溶接用ワイヤ１３がコイル状に巻回積層されると共に、積層溶接用ワイヤ１４の上端面を押さえる押さえ部材１５と内筒１１の外周壁部との隙間から前記溶接用ワイヤ１３を払い出すようにしたペイルパック巻溶接用ワイヤの払出し治具であって、押さえ部材１５の上方位置で且つ内筒１１より高い位置に周方向に沿って配設されて該押さえ部材１５の上方に払い出された溶接用ワイヤ１３の跳ね上がりを防止する複数の弾性部材２０と、該弾性部材２０を支持する支持部材２１とを具備する跳ね上がり防止部材３０を備える。【選択図】　　　図１
2004001015.tif 000002
【特許請求の範囲】
【請求項１】
縦型筒構造のペイル容器内に溶接用ワイヤがコイル状に巻回積層されると共に、積層溶接用ワイヤの上端側に配設された仕切り部材と前記ペイル容器の壁部との隙間から前記溶接用ワイヤを払い出すようにしたペイルパック巻溶接用ワイヤの払出し治具であって、
前記仕切り部材の上方位置に周方向に沿って配設されて該仕切り部材の上方に払い出された前記溶接用ワイヤの跳ね上がりを防止する複数の弾性部材と、該弾性部材を支持する支持部材とを具備する跳ね上がり防止部材を備えたことを特徴とするペイルパック巻溶接用ワイヤの払出し治具。
【請求項２】
前記ペイル容器を内筒と外筒とを備えた縦型二重筒構造とすると共に、前記弾性部材を前記内筒の上方に配設したことを特徴とする請求項１記載のペイルパック巻溶接用ワイヤの払出し治具。
【請求項３】
前記弾性部材が線状であることを特徴とする請求項１又は２記載のペイルパック巻溶接用ワイヤの払出し治具。
【発明の詳細な説明】
【０００１】
【発明の属する技術分野】
本発明は、ペイルパック巻溶接用ワイヤの払出し治具に関する。
【０００２】
【従来の技術】
従来のこの種のペイルパック巻溶接用ワイヤの払出し治具としては、例えば実公昭６４−７０２５号公報および特開２００１−３０２０９４号公報に記載のものが知られている。
実公昭６４−７０２５号公報に記載のペイルパック巻溶接用ワイヤの払出し治具は、縦型二重筒構造のペイル容器の内筒と外筒との間に溶接用ワイヤがコイル状に巻回積層されると共に、内筒又は外筒との間に溶接用ワイヤを払い出す隙間を形成した状態で前記積層溶接用ワイヤの上方に所定の空間をおいて治具本体（仕切り部材）が配置され、この治具本体に前記隙間を形成した側の内筒又は外筒に弾接する弾性体を固定したものである。
【０００３】
溶接用ワイヤは払い出し時に弛み等が生じないように弾性変形限度内での捩じりが付与された状態で巻回積層されているため、跳ね上がる力を持っており、従って、前記積層溶接用ワイヤと前記治具本体との間の空間でループ状の溶接用ワイヤをほぐすことで、前記隙間から払い出された溶接用ワイヤの跳ね上がりを防止して該ワイヤのもつれや絡みを防止するようにしている。
【０００４】
一方、特開２００１−３０２０９４号公報に記載のペイルパック巻溶接用ワイヤの払出し治具は、縦型二重筒構造のペイル容器の内筒と外筒との間に溶接用ワイヤがコイル状に巻回積層されると共に、積層溶接用ワイヤの上端面がドーナツ板状の押さえ部材（仕切り部材）によって押さえられており、且つ、内筒の上端が外筒より高い位置に配置されている。
【０００５】
【発明が解決しようとする課題】
ところで、治具本体や押さえ板の上方に払い出された溶接用ワイヤは完全に捩じりが解除されているわけではなく、依然として跳ね上がる力を持っており、また、治具本体や押さえ板から複数のループを形成した状態で溶接用ワイヤが払い出される場合もある。
【０００６】
この場合、上記実公昭６４−７０２５号公報に記載のペイルパック巻溶接用ワイヤの払出し治具においては、治具本体の上方に払い出された溶接用ワイヤは内筒によってその跳ね上がりが防止されるが、内筒が比較的低いため該内筒による溶接用ワイヤの前記跳ね上がり防止効果が十分ではなく、この結果、内筒の上方に引き出されたループ状の溶接用ワイヤの跳ね上がりを防止することができないという問題がある。
【０００７】
一方、特開２００１−３０２０９４号公報に記載のペイルパック巻溶接用ワイヤの払出し治具においては、内筒の高さが外筒より高くなっているため、該内筒による溶接用ワイヤの前記跳ね上がり防止効果が十分に発揮されて内筒の上方に引き出されたループ状の溶接用ワイヤの跳ね上がりを防止することができる反面、内筒を備えていないタイプのものには対応できないという問題がある。
【０００８】
本発明はこのような不都合を解消するためになされたものであり、内筒を備えているかいないかにかかわらず、仕切り部材の上方に払い出された溶接用ワイヤの跳ね上がりを良好に防止して該ワイヤのもつれや絡みを防止することができるペイルパック巻溶接用ワイヤの払出し治具を提供することを目的とする。
【０００９】
【課題を解決するための手段】
上記目的を達成するために、請求項１に係る発明は、縦型筒構造のペイル容器内に溶接用ワイヤがコイル状に巻回積層されると共に、積層溶接用ワイヤの上端側に配設された仕切り部材と前記ペイル容器の壁部との隙間から前記溶接用ワイヤを払い出すようにしたペイルパック巻溶接用ワイヤの払出し治具であって、
前記仕切り部材の上方位置に周方向に沿って配設されて該仕切り部材の上方に払い出された前記溶接用ワイヤの跳ね上がりを防止する複数の弾性部材と、該弾性部材を支持する支持部材とを具備する跳ね上がり防止部材を備えたことを特徴とする。
【００１０】
請求項２に係る発明は、請求項１において、前記ペイル容器を内筒と外筒とを備えた縦型二重筒構造とすると共に、前記弾性部材を前記内筒の上方に配設したことを特徴とする。
請求項３に係る発明は、請求項１又は２において、前記弾性部材が線状であることを特徴とする。
【００１１】
【発明の実施の形態】
以下、本発明の実施の形態を図を参照して説明する。図１は本発明の実施の形態の一例であるペイルパック巻溶接用ワイヤの払出し治具を説明するための説明図、図２は図１のペイルパック巻溶接用ワイヤの払出し治具において溶接用ワイヤの払い出し終了段階を示す説明図、図３は図１の上方から見た平面図、図４〜図７は本発明の他の実施の形態であるペイルパック巻溶接用ワイヤの払出し治具を説明するための図である。
【００１２】
図１および図２を参照して、このペイルパック巻溶接用ワイヤの払出し治具は、縦型二重筒構造のペイル容器１０の内筒１１と外筒１２との間に溶接用ワイヤ１３がコイル状に巻回積層されると共に、積層溶接用ワイヤ１４の上端面がドーナツ板状の押さえ部材１５によって押さえられている。ペイル容器１０内に積層溶接用ワイヤ１４を格納する際には、払い出される溶接用ワイヤ１３に弛み等が生じないように、溶接用ワイヤ１３に弾性変形限度内での捩じりを付与してコイル状に巻回積層する。
【００１３】
そして、積層溶接用ワイヤ１４の払出し始端（巻き終わり端）を内筒１１の外周壁部と押さえ部材１５の内径部との隙間、およびペイル容器１０の上方に配置されたコンジットチューブ固定金具１７に通して送給装置（図示せず）で引き出すことにより溶接用ワイヤ１３の払出しが行われる。なお、この実施の形態では、溶接用ワイヤ１３の払出しが行われると、積層溶接用ワイヤ１４の上端レベルは降下するが、この降下に連動して押さえ部材１５も降下するようになっている。
【００１４】
また、積層溶接用ワイヤ１４の払出し終端（巻き始め端）はペイル容器１０の底部から外筒１２の内周壁部に沿って上方に延びた後、押さえ部材１５の内径部に形成された切り欠き部１８を挿通してその先端が外筒１２に隣接配置された他の払出し治具（図示せず）の積層溶接用ワイヤの払出し始端に溶接等により連結されている。これにより、複数の払出し治具に収容された各積層溶接用ワイヤを連続的に払い出すことを可能にすると共に、前記切り欠き部１８によって一方の払出し治具の溶接用ワイヤから他方の払出し治具の溶接用ワイヤへの乗り移りをスムースに行えるようにしている。なお、図２では溶接用ワイヤの払い出し終了段階を示すもので、溶接用ワイヤは内筒の外周壁部に沿って延びている。
【００１５】
ここで、この実施の形態では、押さえ部材１５の上方位置で且つ内筒１１より高い位置に、該押さえ部材１５の上方に払い出されたループ状の溶接用ワイヤ１３の跳ね上がりを防止するピアノ線等からなる複数の線状弾性部材２０を周方向に沿って配設すると共に、該線状弾性部材２０の基端をドーナツ板状の支持部材２１によって支持し、前記線状弾性部材２０と前記支持部材２１とによって跳ね上がり防止部材３０を構成している。
【００１６】
支持部材２１の内径部の寸法は内筒１１の外径寸法より大とされて該内径部と内筒１１との間に溶接用ワイヤ１３の挿通可能な隙間が形成されている。また、図２および図３に示すように、支持部材２１の上面側には周方向に沿って略Ｌ字状の複数（図３では３個）の引っ掛け金具２４が周方向に略等間隔で設けられており、これらの引っ掛け金具２４を外筒１２の上端に引っ掛けることにより跳ね上がり防止部材３０がペイル容器１０に取り付けられるようになっている。
【００１７】
線状弾性部材２０は押さえ部材１５の上方に払い出された溶接用ワイヤ１３に与える抵抗を少なくするために、図３に示すように、該溶接用ワイヤ１３の回転する方向に所定の傾斜角をもたせて支持部材２１に取り付けられており、先端部は内筒１１の上方位置で該内筒１１の内側まで延びている。なお、押さえ部材１５の上方に払い出された溶接用ワイヤ１３の線状弾性部材２０との接触部での抵抗を少なくするために、払い出す溶接用ワイヤ１３の力で支持部材２１をペイル容器１０と略同心円上で容易に回転させる構造としてもよい。
【００１８】
上記の説明から明らかなように、この実施の形態では、押さえ部材１５の上方に払い出されて完全に捩じりが解除されていないループ状の溶接用ワイヤ１３の跳ね上がり力を内筒１１の上方位置で跳ね上がり防止部材３０の複数の線状弾性部材２０によって減衰させて該溶接用ワイヤ１３の跳ね上がりを防止することができるので、溶接用ワイヤ１３のもつれや絡みを良好に防止することができ、特に、溶接用ワイヤ１３の払出し終端が次のペイル容器の払出し始端に移るときに、内筒１１の上に払い出された溶接用ワイヤ１３の最終ループの跳ね上がりを効果的に防止することができ、絡みにくい溶接用ワイヤ１３の供給を可能にすることができる。
【００１９】
なお、本発明のペイルパック巻溶接用ワイヤ払出し治具のペイル容器、溶接用ワイヤ、仕切り部材、弾性部材および支持部材等の構成は上記実施の形態に限定されるものではなく、本発明の要旨を逸脱しない範囲において適宜変更可能である。
例えば、上記実施の形態では、跳ね上がり防止部材３０を外筒１２に取り付けた場合を例に採ったが、これに限定されず、図４および図５に示すように、跳ね上がり防止部材３０Ａを内筒１１の上端面に取り付けるようにしてもよい。この跳ね上がり防止部材３０Ａの支持部材２１Ａは例えば短円柱状とされて内筒１１の上端面に接着やねじ止め等の固定手段により固定され、線状弾性部材２０Ａは支持部材２１Ａの上面に取り付けられてその先端が外筒１２側に延びて該外筒１２に非接触とされている。
【００２０】
跳ね上がり防止部材３０Ａの支持部材２１Ａを内筒１１の上端面に固定する他の例としては、図６に示すように、内筒１１内でペイル容器１０の底部から柱部材４０を立設して該柱部材４０の上端に前記支持部材２１Ａを取り付けるようにしてもよく、或いは図７に示すように、支持部材２１Ａの下端に内筒１１の内径と略同径の嵌合部４１を形成して該嵌合部４１を内筒１１の上端開口に嵌め込むようにしてもよい。
【００２１】
また、上記実施の形態では、積層溶接用ワイヤ１４の払出し始端（巻き終わり端）を内筒１１の外周壁部と押さえ部材１５の内径部との隙間に通して払い出しを行うようにしているが、必ずしもこれに限定されず、積層溶接用ワイヤ１４の払出し始端を外筒１２の内周壁部と押さえ部材１５の外径部との隙間に通して払い出しを行うようにしてもよいのは勿論である。この場合、跳ね上がり防止部材は図４〜図７に示す構造を採用して、線状弾性部材２０Ａの先端を外筒１２に接触しない範囲で該外筒１２側に所定寸法延長するとよい。
【００２２】
更に、上記実施の形態では、ペイル容器１０を内筒１１と外筒１２とを備えた縦型二重筒構造としているが、これに限定されず、外筒１２だけで内筒１１を備えていない縦型一重筒構造のペイル容器に本発明を適用してもよい。この場合、積層溶接用ワイヤ１４の払出し始端は外筒１２の内周壁部と押さえ部材１５の外径部との隙間に通して払い出しを行い、また、跳ね上がり防止部材については図６に示す構造を採用して、線状弾性部材２０Ａの先端を外筒１２に接触しない範囲で該外筒１２側に所定寸法延長するとよい。
【００２３】
更に、上記実施の形態では、仕切り部材として押さえ部材１５を採用した場合を例に採ったが、これに代えて、実公昭６４−７０２５号公報に開示された治具本体を前記積層溶接用ワイヤ１４の上方に所定の空間をおいて配置し、該治具本体の上方に前記跳ね上がり防止部材３０、或いは跳ね上がり防止部材３０Ａを配設するようにしてもよい。
【００２４】
更に、上記実施の形態では、線状弾性部材２０，２０Ａを直線状としているが、これに限定されず、例えば曲線状としてもよい。
更に、上記実施の形態では、弾性部材を線状とした場合を例に採ったが、必ずしも線状に限定する必要はなく、例えば短冊状の弾性部材でもよく、複数の弾性部材が部分的に重なっていても良い。
【００２５】
更に、払い出す溶接用ワイヤ１３が既にコンジットチューブ固定金具１７を貫通している場合や、溶接用ワイヤ１３の払い出し終端が次のペイル容器の始端ワイヤに繋がっている場合でも、溶接用ワイヤ１３を切断することなく、跳ね上がり防止部材３０，３０Ａを使用可能にペイル容器内に取り付けられるように、支持部材２１，２１Ａの一部に少なくとも１本の溶接用ワイヤ１３が貫通できる幅の隙間を設けて該隙間に払い出された溶接用ワイヤ１３が入りこまないように該隙間を塞ぐ部材を設けるようにしてもよい。
【００２６】
【発明の効果】
上記の説明から明らかなように、本発明によれば、内筒を備えているかいないかにかかわらず、仕切り部材の上方に払い出された溶接用ワイヤの跳ね上がりを良好に防止して該ワイヤのもつれや絡みを防止することができるという効果が得られる。
【図面の簡単な説明】
【図１】本発明の実施の形態の一例であるペイルパック巻溶接用ワイヤの払出し治具を説明するための説明図である。
【図２】図１のペイルパック巻溶接用ワイヤの払出し治具において溶接用ワイヤの払い出し終了段階を示す説明図である。
【図３】図１の上方から見た平面図である。
【図４】本発明の他の実施の形態であるペイルパック巻溶接用ワイヤの払出し治具を説明するための説明図である。
【図５】図５の上方から見た平面図である。
【図６】本発明の他の実施の形態であるペイルパック巻溶接用ワイヤの払出し治具を説明するための説明図である。
【図７】本発明の他の実施の形態であるペイルパック巻溶接用ワイヤの払出し治具を説明するための説明図である。
【符号の説明】
１０…ペイル容器
１１…内筒
１２…外筒
１３…溶接用ワイヤ
１４…積層溶接用ワイヤ
１５…押さえ部材（仕切り部材）
２０，２０Ａ…線状弾性部材
２１，２１Ａ…支持部材
３０，３０Ａ…跳ね上がり防止部材
【図１】
2004001015.tif 000003
【図２】
2004001015.tif 000004
【図３】
2004001015.tif 000005
【図４】
2004001015.tif 000006
【図５】
2004001015.tif 000007
【図６】
2004001015.tif 000008
【図７】
2004001015.tif 000009